(57)【要約】【課題】着信文書のうち、受取人にとって不用なものや、保存する必要のないものを出力用紙に印刷することがなく、出力用紙や印字用インク等の無駄な消費を防止することができ省資源性に優れ、着信又は送信文書が表示された電子ペーパーを装置本体から取外して持ち運んだり、保管したりできると共に、必要に応じて出力用紙への印字出力や不用な文書の消去が行なえ、電子ペーパーを繰り返し着信文書の表示に利用できる経済性、汎用性に優れたファクシミリ装置の提供を目的とする。【解決手段】電子ペーパーが保持される電子ペーパーホルダ４、１４と、電子ペーパーホルダに配設され電子ペーパーの電子ペーパー電極５ａと電気的に接続される電子ペーパーホルダ電極と、を備えている。【選択図】図１
2005192071.tif 000002
【特許請求の範囲】
【請求項１】
電子ペーパーが保持される電子ペーパーホルダと、前記電子ペーパーホルダに配設され前記電子ペーパーの電子ペーパー電極と電気的に接続される電子ペーパーホルダ電極と、を備えていることを特徴とするファクシミリ装置。
【請求項２】
前記電子ペーパーホルダが、前記電子ペーパーを着脱自在に保持する保持部を備えていることを特徴とする請求項１に記載のファクシミリ装置。
【請求項３】
前記保持部が電子ペーパーホルダ電極であることを特徴とする請求項２に記載のファクシミリ装置。
【請求項４】
前記電子ペーパーホルダが、前記電子ペーパーが着脱される開閉部を備えていることを特徴とする請求項１乃至３の内いずれか１項に記載のファクシミリ装置。
【請求項５】
１以上の前記電子ペーパーが収容される電子ペーパーセット部と、前記データ着信時に前記電子ペーパーセット部に収容される前記電子ペーパーを前記電子ペーパーホルダに自動給紙する電子ペーパー繰り出し機構部と、を備えていることを特徴とする請求項１乃至４の内いずれか１項に記載のファクシミリ装置。
【請求項６】
前記電子ペーパーホルダの上面に覆設されたＸＹ座標を検出するタッチパネル部を備えていることを特徴とする請求項１乃至５の内いずれか１項に記載のファクシミリ装置。
【発明の詳細な説明】
【技術分野】
【０００１】
本発明は、着信文書の表示出力に電子ペーパーを用いることにより、受取人にとって不要な着信文書を出力用紙に印字出力することがなく、出力用紙や印字用インク等の無駄な消費を防止できるファクシミリ装置に関するものである。
【背景技術】
【０００２】
従来からのファクシミリ装置においては、着信文書は全て自動的に、受取人が何の操作もすることなく、感熱紙や普通紙などの出力用紙へ印字出力されている。さらに、着信文書の内容に目を通す手段としては、出力用紙へ印字された出力結果を見るのみであった。
【０００３】
しかし、着信文書の中には、受取人にとって不要な文書や、保存する必要のない文書などもあり、必ずしも全ての文書の印刷が必要とは限らなかった。特に一般家庭では、その傾向が顕著であり、受取人は出力用紙に印字出力された着信文書に目を通した後、不要と判断した場合は出力用紙を廃棄していた。
【０００４】
尚、かかる先行技術は、文献、公知発明に係るものでないため、記載すべき先行技術文献情報はない。
【特許文献１】特開２００３−２２２５７号公報
【発明の開示】
【発明が解決しようとする課題】
【０００５】
しかしながら上記従来の技術では、以下のような課題を有していた。
【０００６】
（１）従来のファクシミリ装置における着信文書の印字出力方式は、着信文書が全て自動的に、受取人が何の操作もすることなく感熱紙や普通紙などの出力用紙へ印字出力されるため、不要な文書が印字されることがあり、紙資源保護、経済性に関して大きなロスであるという課題を有していた。
【０００７】
（２）また、特に一般家庭においては、着信文書のうち、受取人にとって不用であったり、長期間保存する必要のないものであったりして、目を通しただけで廃棄されるものの割合が高く、受取人は、出力用紙のみならず印字用インク等の無駄な消費をさせられているという課題を有していた。
【０００８】
本発明は上記従来の課題を解決するもので、着信文書のうち、受取人にとって不用なものや、保存する必要のないものを出力用紙に印刷することがなく、感熱紙や普通紙などの出力用紙や印字用インク等の無駄な消費を防止することができ、また、送信文書等を電子ペーパーへ手書き入力することにより原稿用の紙等を不要とすることができ省資源性に優れ、着信又は送信文書が表示された電子ペーパーを装置本体から取外して持ち運んだり、保管したりできると共に、必要に応じて出力用紙へ印字出力したり、不用な文書を消去して繰り返し着信文書の表示用として利用することができる経済性、汎用性に優れたファクシミリ装置を提供することを目的とする。
【課題を解決するための手段】
【０００９】
上記課題を解決するために、本発明のファクシミリ装置は、電子ペーパーが保持される電子ペーパーホルダと、前記電子ペーパーホルダに配設され前記電子ペーパーの電子ペーパー電極と電気的に接続される電子ペーパーホルダ電極と、を備えている構成を有している。
【００１０】
これにより、着信した文書は一旦、電子ペーパーへ表示出力され、それに受取人が目を通すことで、出力用紙に印字出力する必要がある文書であるかどうかを判断することができるので、受取人にとって不用なものや、保存する必要がないものを出力用紙に印刷することがなく、受取人が出力用紙や印字用インク等を無駄に消費するのを防止することができる。
【発明の効果】
【００１１】
以上説明したように本発明のファクシミリ装置によれば、以下のような有利な効果が得られる。
【００１２】
請求項１に記載の発明によれば、（１）電子ペーパーが保持される電子ペーパーホルダに電子ペーパー電極と電気的に接続される電子ペーパーホルダ電極を有することで、着信した文書は、一旦、電子ペーパーへ書き込み表示されるので、着信文書のうち、受取人にとって不用なものや、保存する必要がないもので、出力用紙に印刷しても廃棄されるような文書については、感熱紙や普通紙などの出力用紙に印刷することがなく、受取人が出力用紙や印字用インク等を無駄に消費することを防止できる省資源性、経済性に優れたファクシミリ装置を提供することができる。
【００１３】
請求項２に記載の発明によれば、請求項１の効果に加え、（１）電子ペーパーホルダが、電子ペーパーを着脱自在に保持する保持部を有するので、着信データが表示された電子ペーパーを電子ペーパーホルダから取外すことができ、自由に持ち運んで受取人に出力用紙への印字出力の要否を確認したり、出力用紙へ印字出力することなく関係者に回覧したり、或いはそのまま保管したりできる汎用性と機能性に優れたファクシミリ装置を提供することができる。（２）電子ペーパーホルダの保持部で電子ペーパーを着脱自在に保持することができるので、電子ペーパーに表示された着信データが不要になった場合は、再度、電子ペーパーホルダに取付けることでデータを消去することができ、電子ペーパーを繰り返し着信文書の表示に利用することができる経済性に優れたファクシミリ装置を提供することができる。
【００１４】
請求項３に記載の発明によれば、請求項２の効果に加え、（１）保持部が電子ペーパーホルダ電極であることにより、部品点数を削減することができると共に、確実に電子ペーパーの電子ペーパー電極と電子ペーパーホルダ電極とを電気的に接続することができる生産性、信頼性に優れたファクシミリ装置を提供することができる。
【００１５】
請求項４に記載の発明によれば、請求項１乃至３の内いずれか１項の効果に加え、（１）電子ペーパーホルダが、電子ペーパーが着脱される開閉部を備えているので、開閉部を開閉することにより、容易に電子ペーパーの着脱を行なうことができ、開閉部を閉じている状態では、電子ペーパーが電子ペーパーホルダから外れたり、滑落したりすることがなく、確実に電子ペーパーを保持することができる信頼性に優れたファクシミリ装置を提供することができる。
【００１６】
請求項５に記載の発明によれば、請求項１乃至４の内いずれか１項の効果に加え、（１）複数の電子ペーパーを収容する電子ペーパーセット部と電子ペーパー繰り出し機構部を有するので、先に着信したデータを表示した電子ペーパーが取除かれた後から、新しい電子ペーパーを電子ペーパーホルダに自動給紙することができ、確実に着信データを電子ペーパーに表示することができる信頼性に優れたファクシミリ装置を提供することができる。
【００１７】
請求項６に記載の発明によれば、請求項１乃至５の内いずれか１項の効果に加え、（１
）電子ペーパーホルダが文書等を手書き入力することができるタッチパネル部を有することにより、入力されたデータを下部に保持された電子ペーパーに表示することができるので、送信する原稿を直接、手書き入力したり、通話中にメモ代わりに使用したりできる経済性と汎用性に優れたファクシミリ装置を提供することができる。
【発明を実施するための最良の形態】
【００１８】
本発明は、着信文書のうち、受取人にとって不用なものや、保存する必要のないものを出力用紙に印刷することがなく、感熱紙や普通紙などの出力用紙や印字用インク等の無駄な消費を防止することができ、また、送信文書等を電子ペーパーへ手書き入力することにより原稿用の紙等を不要とすることができ省資源性に優れ、着信又は送信文書が表示された電子ペーパーを装置本体から取外して持ち運んだり、保管したりできると共に、必要に応じて出力用紙へ印字出力したり、不用な文書を消去して繰り返し着信文書の表示用として利用することができる経済性、汎用性に優れたファクシミリ装置を提供するという目的を、記憶性を有し繰り返し書き換え可能な電子ペーパーを着信及び送信文書の表示出力用として利用できるようにしたことで実現した。
【００１９】
上記課題を解決するためになされた第１の発明は、ファクシミリ装置であって、電子ペーパーが保持される電子ペーパーホルダと、上記電子ペーパーホルダに配設され上記電子ペーパーの電子ペーパー電極と電気的に接続される電子ペーパーホルダ電極と、を備えた構成を有している。
【００２０】
この構成により、以下の作用を有する。
【００２１】
（１）電子ペーパーが保持される電子ペーパーホルダに電子ペーパー電極と電気的に接続される電子ペーパーホルダ電極を有することで、着信した文書は、一旦、電子ペーパーへ書き込み表示され、受取人はその書き込み表示された着信文書に目を通すことで、出力用紙へ印字出力する必要があるか、否かを判断することができる。また、電子ペーパーへ書き込み表示された文書を消去することができ、再度、電子ペーパーへ書き込みを行なうことが可能で、電子ペーパーを繰り返し再利用することができる。
【００２２】
ここで、電子ペーパーは別名ペーパーライクディスプレイとも呼ばれ、数種類の方式のものがある。その共通の特徴として、画像の書換え時以外は画像表示に電力が不要で記憶性を持ち、しかも何度も繰り返して書換えが可能な、紙のように薄いフレキシブルな形態を持つ表示デバイスであるという点から省エネルギー性、取扱い性に優れる。代表的な表示方式としては、強誘電性高分子液晶をプラスチックシートに挟んだ構造による表示方式、電場を用いて顔料を所定の場所に移動させてコントラストを発生させる表示方式などがある。いずれの方式も内部に各画素に電圧を印加し、駆動するためのマトリックス状の内部電極を有し、外部の電子ペーパー電極から伝達された情報を表示することができる。
【００２３】
電子ペーパーホルダを電子ペーパーが載置される底板部と電子ペーパーの外形に合わせて底板部に立設された側板部を有する形状とした場合、電子ペーパーが電子ペーパーホルダ上でずれたり、電子ペーパーホルダから滑落したりすることがなく、確実に電子ペーパーを保持することができる。
【００２４】
上記課題を解決するためになされた第２の発明は、第１の発明に記載のファクシミリ装置であって、上記電子ペーパーホルダが、上記電子ペーパーを着脱自在に保持する保持部を備えている構成を有している。
【００２５】
この構成により、第１の発明の作用に加え、以下の作用を有する。
【００２６】
（１）電子ペーパーホルダが、電子ペーパーを着脱自在に保持する保持部を有することで、着信データが表示された電子ペーパーを電子ペーパーホルダから容易に取外すことができ、自由に持ち運んで受取人に出力用紙への印字出力の要否を確認したり、出力用紙へ印字出力することなく関係者に回覧したり、或いはそのまま保管したりすることができる。
【００２７】
（２）電子ペーパーが電子ペーパーホルダに対して着脱自在であることにより、電子ペーパーに表示された着信データが不要になった場合は、再度、電子ペーパーホルダに取付けることでデータを消去することができ、電子ペーパーを繰り返し着信文書の表示に利用することができる。
【００２８】
（３）電子ペーパーが電子ペーパーホルダに対して着脱自在に保持されることで、寿命などにより劣化又は破損した電子ペーパーを容易に交換することができ、メンテナンス性に優れる。
【００２９】
ここで、保持部としては電子ペーパーホルダの底板部や側板部等に板ばねや軟質のゴム、発泡樹脂等の弾性体を配設し、電子ペーパーを上面や側面から押圧することにより、電子ペーパーホルダ内に電子ペーパーを保持するものなどが挙げられる。
【００３０】
また、電子ペーパーホルダ電極が配設された側板部と対向する側に電子ペーパーの挿入用開口部を形成し、その他の側板部に電子ペーパーの厚さに合わせた案内用溝部を形成した場合、電子ペーパーを挿入用開口部から案内用溝部に沿って摺動させるようにして電子ペーパーホルダに挿通させることができ、容易に電子ペーパーを着脱できると共に、電子ペーパー電極と電子ペーパーホルダ電極を確実に導通させることができ、信頼性を向上させることができる。
【００３１】
電子ペーパーホルダの側板部を摺動自在に形成した場合、電子ペーパーの着脱が容易にできると共に、寸法の異なる電子ペーパーでも電子ペーパー電極と電子ペーパーホルダ電極が接触するように左右や上下に案内することができ、汎用性、信頼性に優れる。
【００３２】
上記課題を解決するためになされた第３の発明は、第２の発明に記載のファクシミリ装置であって、上記保持部が電子ペーパーホルダ電極である構成を有している。
【００３３】
この構成により、第２の発明の作用に加え、以下の作用を有する。
【００３４】
（１）保持部が電子ペーパーホルダ電極であることにより、部品点数を削減することができ、構造をコンパクトにして装置を小型化できると共に、確実に電子ペーパーの電子ペーパー電極と電子ペーパーホルダ電極とを電気的に接続することができる。
【００３５】
ここで、電子ペーパーホルダ電極を板ばねで形成したり、電子ペーパーの厚さに合わせた凹状に形成したりして、電子ペーパーホルダの側板部や底板部に配設することにより、電子ペーパーホルダ電極を電子ペーパーの保持部とすることができる。
【００３６】
上記課題を解決するためになされた第４の発明は、第１乃至第３の発明の内いずれか１に記載のファクシミリ装置であって、上記電子ペーパーホルダが、上記電子ペーパーが着脱される開閉部を備えた構成を有している。
【００３７】
この構成により、第１乃至第３の発明の内いずれか１の作用に加え、以下の作用を有する。
【００３８】
（１）電子ペーパーホルダが、電子ペーパーが着脱される開閉部を備えているので、開閉部を開閉することにより、容易に電子ペーパーの着脱を行なうことができ、開閉部を閉じている状態では、電子ペーパーが電子ペーパーホルダから外れたり、滑落したりすることがなく、確実に電子ペーパーを保持することができる。
【００３９】
ここで、開閉部は電子ペーパーホルダの側板部を電子ペーパーホルダに対して摺動自在又は回動自在に配設することにより形成する。電子ペーパーホルダの底板部に摺動溝を形成し、側板部の下端に延設した係止部を摺動溝に係止することにより、側板部を摺動自在とすることができる。また、側板部の下端を底板部に枢軸することにより、側板部を回動自在とすることができる。
【００４０】
開閉部に電子ペーパーを保持する保持部を配設した場合、開閉部の開閉を行なうだけで保持部による電子ペーパーの保持と開放を切り替えることができ、容易に電子ペーパーの着脱を行なうことができて操作性に優れる。
【００４１】
上記課題を解決するためになされた第５の発明は、第１乃至第４の発明の内いずれか１に記載のファクシミリ装置であって、１以上の上記電子ペーパーが収容される電子ペーパーセット部と、上記データ着信時に上記電子ペーパーセット部に収容される上記電子ペーパーを上記電子ペーパーホルダに自動給紙する電子ペーパー繰り出し機構部と、を備えた構成を有している。
【００４２】
この構成により、第１乃至第４の発明の内いずれか１の作用に加え、以下の作用を有する。
【００４３】
（１）１以上の電子ペーパーが収容される電子ペーパーセット部と、電子ペーパー繰り出し機構部を有し、データ着信時に電子ペーパーセット部に収容される電子ペーパーを電子ペーパーホルダに自動給紙できることで、先に着信したデータを表示した電子ペーパーが取除かれた後でも、確実に着信データを電子ペーパーに表示することができる。
【００４４】
ここで、電子ペーパーを電子ペーパーホルダに自動給紙する電子ペーパー繰り出し機構部は、ファクシミリ装置やプリンタ装置などで印刷用紙を給紙する一般的な機構と同じ機構が用いられる。電子ペーパーが電子ペーパーホルダに自動給紙された際に、電子ペーパー電極と電子ペーパーホルダ電極を導通させるためには、電子ペーパーの表裏や上下など、電子ペーパーを正しい向きで電子ペーパーセット部に収容する必要がある。このために、電子ペーパーセット部の内部にセンサーを配設して電子ペーパー電極を検知させることで、向きが正しくないときに警告音や発光ダイオード等を用いたアラーム表示によりエラーを知らせることができる。この手段を用いた場合、電子ペーパーの残量を検知することもでき、機能性に優れる。また、電子ペーパーセット部の角部等に突起を形成し、電子ペーパーの対応する位置に切り欠きを形成することで、正しい向きでなければ収容できないようにしてもよい。
【００４５】
尚、電子ペーパーセット部から電子ペーパーホルダに自動給紙された電子ペーパーに、不要となった文書が表示されたままであっても、新規の着信データを表示される際に自動的に消去されるので問題はない。ただし、電子ペーパーホルダに自動給紙された際に初期化されるようにすることで、古いデータと新規の着信データを間違えることがなく信頼性に優れる。
【００４６】
上記課題を解決するためになされた第６の発明は、第１乃至第５の発明の内いずれか１に記載のファクシミリ装置であって、上記電子ペーパーホルダの上面に覆設されたＸＹ座標を検出するタッチパネル部を備えた構成を有している。
【００４７】
この構成により、第１乃至第５の発明の内いずれか１の作用に加え、以下の作用を有する。
【００４８】
（１）電子ペーパーホルダの上面に覆設されたＸＹ座標を検出するタッチパネル部を有することで、タッチパネル部上で手書き入力した文字などのデータをＸＹ座標として電子ペーパーへ伝達して表示させることができると共に、ファクシミリ装置内部の記憶部に蓄積することができるので、原稿を直接、手書き入力して送信したり、通話中にメモ代りに使用してその内容を保管したり、印刷したりできる。
【００４９】
ここで、タッチパネル部を備えた電子ペーパーホルダは、ファクシミリ装置と一体でもよいし、タブレット部として独立させて接続ケーブルで接続するようにしてもよい。電子ペーパーホルダをタブレット部として独立させた場合、タブレット部を移動させて文書の入力や着信表示された文書の確認を行なうことができ作業性に優れる。
【００５０】
タッチパネル部への入力にペンの形状をしたダミーペンを使用した場合、タッチパネル部の表面をなぞるように手書き感覚で容易に入力することができ操作性に優れる。尚、ダミーペンの先端部はタッチパネル部の表面を傷つけない程度の剛性を有する。
【００５１】
タッチパネル部が電子ペーパーと同様なマトリックス電極を有することで、入力された文字などのデータのＸＹ座標を検出することができる。また、タッチパネル部を透明にすることで電子ペーパーに表示された文字などの視認性に優れる。
【００５２】
また、電子ペーパーにメニュー画面を表示させ、タッチパネル部の該当箇所に触れることで文書の印刷出力や送信、削除等の指示を与えるようにすることもできる。
【実施例１】
【００５３】
（実施の形態１）
以下、本発明の実施の形態について、各図に基づいて説明する。
【００５４】
図１は本実施の形態１におけるファクシミリ装置を示す模式斜視図であり、図２（ａ）は本実施の形態１におけるファクシミリ装置の電子ペーパー取付け状態を示す要部断面模式図であり、図２（ｂ）は本実施の形態１におけるファクシミリ装置の電子ペーパー着脱方法を示す要部断面模式図である。
【００５５】
図１及び図２中、１は本実施の形態１におけるファクシミリ装置、２は装置本体、３は着信データが印字出力される感熱紙や普通紙などの出力用紙、４は着信文書を表示する電子ペーパー５が上面に載置されて保持される電子ペーパーホルダ、４ａは電子ペーパーホルダ４の底板部、４ｂは底板部４ａの上面に形成され電子ペーパー５を支持する電子ペーパー支持部、４ｃは底板部４ａの側面に凹条に形成され電子ペーパーホルダ４の開閉部４ｄの下端に延設された係止部４ｅが係止される摺動溝、４ｄは下端に延設された係止部４ｅが摺動溝４ｃに係止され摺動自在に配設されて電子ペーパー５の着脱を行なう電子ペーパーホルダ４の開閉部、６ａは開閉部４ｄの内側部に配設され電子ペーパー５の端部に形成された電子ペーパー電極５ａを挟持するように接触保持する保持部を兼ねた板ばね状の電子ペーパーホルダ電極である。
【００５６】
電子ペーパー５は強誘電性高分子液晶をプラスチックシートに挟んだ構造による表示方式や電場を用いて顔料を所定の場所に移動させてコントラストを発生させる表示方式を有する。電子ペーパーホルダ電極６ａから電子ペーパー電極５ａを通して電子ペーパー５に文字情報等の着信データが伝達され、電子ペーパー５の表面上に文字などが書き込み表示
される。
【００５７】
開閉部４ｄを矢印ａ方向に摺動させることにより、電子ペーパー５の保持部を兼ねた電子ペーパーホルダ電極６ａから電子ペーパー電極５ａを開放して電子ペーパーホルダ４から電子ペーパー５を取り出すことができる。また、電子ペーパーホルダ４の電子ペーパー支持部４ｂ上に電子ペーパー５を載置した後、開閉部４ｄを矢印ｂ方向に摺動させるだけで、電子ペーパー５の電子ペーパー電極５ａを電子ペーパーホルダ電極６ａで挟持することができ、電子ペーパー５を保持して確実に電子ペーパー電極５ａと電子ペーパーホルダ電極６ａとの導通をとることができる。
【００５８】
図３は、本実施の形態１におけるファクシミリ装置の変形例を示す模式断面図である。
【００５９】
図３の変形例が本実施の形態１のファクシミリ装置と異なるのは、電子ペーパーホルダ４に保持された電子ペーパー５以外に予備となる１以上の電子ペーパー５ｂが収容される電子ペーパーセット部７と、データ着信時に電子ペーパーホルダ４に電子ペーパー５がない場合に電子ペーパーセット部７から電子ペーパー５ｂを自動給紙する電子ペーパー繰り出し機構部８を有している点である。
【００６０】
これにより、先に着信したデータを表示した電子ペーパー５が取除かれた後でも、確実に着信データを電子ペーパー５ｂに表示することができる。尚、電子ペーパー繰り出し機構部８は、ファクシミリ装置やプリンタ装置などで印刷用紙を給紙する一般的な機構と同じ機構が用いられる。尚、電子ペーパーホルダ４に開閉部４ｄ（図２参照）の開閉を検知するマイクロスイッチ等のセンサーを取付けた場合、電子ペーパー５が取除かれ開閉部４ｄが閉じられた後に、電子ペーパー繰り出し機構部８により自動的に電子ペーパー５ｂを自動給紙することができる。
【００６１】
電子ペーパーホルダ４に装填された電子ペーパー５は、着信文書が複数ページにわたる場合は２ページ目以降の書き込み表示がなされ、また、着信文書の書き込みが終了している場合は、そのまま待機状態となり、新規に着信する文書の書き込み表示が可能となる構造である。
【００６２】
以上のように構成されたファクシミリ装置について、以下、図面を参照しながらその使用方法を説明する。
【００６３】
ファクシミリ装置１に着信した文書は、一旦、電子ペーパー５へ書き込み表示され、同時にファクシミリ装置１の内部に具備した記憶部にもデータとして蓄積される。受取人はその書き込み表示された電子ペーパー５にその場で目を通すか、或いは電子ペーパーホルダ４から電子ペーパー５を取出して他の部屋等に持って行って確認し、出力用紙３へ印字出力する必要があるか、否かを判断する。その場で表示文書に目を通して必要と判断した場合は、ファクシミリ装置１に具備した印刷スイッチ（図示せず）を操作することで、感熱紙、もしくは普通紙などの出力用紙３へ、記憶部に蓄積した文書データが印字出力される。不要と判断した場合は、ファクシミリ装置１に具備した文書消去スイッチ（図示せず）を操作することで、記憶部に蓄積した文書データが消去されると共に、電子ペーパーホルダ４内の電子ペーパー５に表示されている文書も消去処理される構造とする。書き込み表示された電子ペーパー５を電子ペーパーホルダ４から取出して表示文書に目を通した場合も、再度、電子ペーパー５を電子ペーパーホルダ４に戻すことにより、前述と同様に印字出力及び消去処理を行なうことができる。また、電子ペーパー５に書き込み表示された文書が不要になった場合は、電子ペーパー５を再度、電子ペーパーセット部７に戻しておくだけで、新規に着信する文書の書き込み表示用として待機状態となる。尚、電子ペーパーセット部７に収容された電子ペーパー５ｂに表示されている不要な文書は、電子ペーパ
ー５ｂが新規の着信文書の書き込み表示用として電子ペーパーホルダ４へ自動給紙、装填された時点で消去処理される構造となっている。また、全ての電子ペーパー５、５ｂが取出された状態で文書を着信した場合は、従来のファクシミリ装置と同様に出力用紙３への出力が行なわれる。
【００６４】
以上のように本実施の形態１におけるファクシミリ装置は構成されているので、以下のような作用を有する。
【００６５】
（１）受信したデータを電子ペーパー５が保持される電子ペーパーホルダ４に配設された電子ペーパーホルダ電極６ａから電子ペーパー５に伝達することで、着信した文書は、一旦、電子ペーパー５へ書き込み表示され、受取人はその書き込み表示された着信文書に目を通すことで、出力用紙３へ印字出力する必要があるか、否かを判断することができる。
【００６６】
（２）電子ペーパー５が電子ペーパーホルダ電極６ａにより電子ペーパーホルダ４に対して着脱自在に保持されることで、着信データが表示された電子ペーパー５を電子ペーパーホルダ４から容易に取外すことができ、自由に持ち運んで受取人に出力用紙３への印字出力の要否を確認したり、出力用紙３へ印字出力することなく関係者に回覧したり、或いはそのまま保管したりすることができる。
【００６７】
（３）電子ペーパー５に表示された着信データが不要になった場合は、再度、電子ペーパーホルダ４に取付けることでデータを消去することができ、電子ペーパー５を繰り返し着信文書の表示に利用することができる。
【００６８】
（４）電子ペーパー５が電子ペーパーホルダ４に対して着脱自在に保持されることで、寿命などにより劣化又は破損した電子ペーパー５を容易に交換することができ、メンテナンス性に優れる。
【００６９】
（５）１以上の電子ペーパー５ｂが収容される電子ペーパーセット部７と、電子ペーパー繰り出し機構部８を有し、データ着信時に電子ペーパーセット部７に収容される電子ペーパー５ｂを電子ペーパーホルダ４に自動給紙できることで、先に着信したデータを表示した電子ペーパー５が取除かれた後でも、確実に着信データを電子ペーパー５ｂに表示することができる。
【００７０】
（６）受信者が確認した上で外部からの指示により電子ペーパー５に記憶したデータの出力用紙３への印字出力、送信又は消去を行なうことができるので、不必要な印字出力を防ぐことができると共に、必要なデータを確実に保管することができる。
【００７１】
（７）電子ペーパーホルダ電極６ａが電子ペーパー５の保持部であることにより、部品点数を削減することができ、構造をコンパクトにして装置を小型化できると共に、確実に電子ペーパー５の電子ペーパー電極５ａと電子ペーパーホルダ電極６ａとを電気的に接続することができる。
【００７２】
（８）電子ペーパーホルダ４が、電子ペーパー５が着脱される開閉部４ｄを備えているので、開閉部４ｄを開閉することにより、容易に電子ペーパー５の着脱を行なうことができ、開閉部４ｄを閉じている状態では、電子ペーパー５が電子ペーパーホルダ４から外れたり、滑落したりすることがなく、確実に電子ペーパー５を保持することができる。
【００７３】
（９）開閉部４ｄに電子ペーパー５を保持する保持部としての電子ペーパーホルダ電極６ａが配設されているので、開閉部４ｄの開閉を行なうだけで電子ペーパーホルダ電極６
ａによる電子ペーパー５の保持と開放を切り替えることができ、容易に電子ペーパー５の着脱を行なうことができて操作性に優れる。
【００７４】
（実施の形態２）
次に、本実施の形態２におけるファクシミリ装置について説明する。尚、実施の形態１と同様のものには同一の符号を付して説明を省略する。
【００７５】
図４は本実施の形態２におけるファクシミリ装置を示す模式斜視図であり、図５（ａ）は本実施の形態２におけるファクシミリ装置の電子ペーパー取付状態を示す要部断面模式正面図であり、図５（ｂ）は本実施の形態２におけるファクシミリ装置の電子ペーパー取付状態を示す要部断面模式側面図である。
【００７６】
図４中、１１は本実施の形態２におけるファクシミリ装置、１３は着信データの表示や送信文書の入力を行なうタブレット部、１４はタブレット部１３の電子ペーパーホルダ、１４ａは電子ペーパーホルダ１４の一側部に形成された電子ペーパー５の挿入用開口部、１５は電子ペーパーホルダ１４の上面に配設された手書き入力のためのタッチパネル部、１６は装置本体２と電子ペーパーホルダ１４を接続するタブレット部１３の接続ケーブル、１７はタッチパネル部１５に手書き入力を行なうためのタブレット部１３のダミーペンである。
【００７７】
タッチパネル部１５は、マトリックス電極によりＸＹ座標検出ができる透明なタッチパネルを有し、電子ペーパーホルダ１４の上面に電子ペーパー５の表面に対向するように覆設されている。
【００７８】
接続ケーブル１６は、装置本体２と電子ペーパーホルダ１４とを接続し、タッチパネル部１５から入力された文字などのＸＹ座標位置データを装置本体２へ伝達すると共に、装置本体２から電子ペーパー５へ表示データを伝達する。
【００７９】
次に、電子ペーパーホルダについて説明する。
【００８０】
図５中、６ｂは電子ペーパーホルダ１４の挿入用開口部１４ａと対向する側板部１４ｂに配設され電子ペーパー５の電子ペーパー電極５ａを着脱自在に保持する凹状の電子ペーパーホルダ電極、１４ｃは電子ペーパー５の厚みと略等しい高さで長手方向と平行に形成され電子ペーパー５を案内する案内用溝部１４ｄを有する電子ペーパーホルダ１４の両側の側板部である。
【００８１】
以上のように構成されたファクシミリ装置について、以下、図面を参照しながらその使用方法を説明する。
【００８２】
図４及び図５において、まず、電子ペーパー５を電子ペーパーホルダ１４の挿入用開口部１４ａから矢印ｃ方向に挿入し、実施の形態１と同様に電子ペーパーホルダ電極６ｂと電子ペーパー電極５ａを導通させるようにして保持する。電子ペーパーホルダ１４が箱状に形成され略水平に載置されているので、電子ペーパーホルダ１４の電子ペーパー支持部４ｂと凹状に形成された電子ペーパーホルダ電極６ｂにより電子ペーパー５を保持することができる。また、電子ペーパーホルダ１４の両側の側板部１４ｃに電子ペーパー５を案内する案内用溝部１４ｄが形成されているので、容易に電子ペーパー５を摺動させて電子ペーパーホルダ電極６ｂに案内することができる。
【００８３】
タッチパネル部１５上にダミーペン１７でファックス原稿を手書きで入力すると、タッチパネル部１５が入力された文字などのＸＹ座標位置の検出を行なうと同時に電子ペーパ
ー５へ位置情報が伝達され、手書きした位置と同じ位置に文字が表示される。入力内容は同時に装置本体２の内部に具備した記憶部に蓄積され、送信者が装置本体２の操作部に具備した送信ボタン等を操作することにより文書データとして送信される。送信された文書は、装置本体２に具備した文書消去スイッチ等を操作することで消去することができる。
【００８４】
送信文書を保存しておきたい場合などは、送信文書が表示されている電子ペーパー５を電子ペーパーホルダ１４から矢印ｄ方向へスライドさせて取出して保管することができる。
【００８５】
また、装置本体２にて通話を行なう場合、タッチパネル部１５上に通話内容などをダミーペン１７で書き込んで電子ペーパー５上に表示させることができ、メモ用紙のように使うことができる。メモ内容を表示した電子ペーパー５は電子ペーパーホルダ１４から取外して、持ち歩いたり、保管したりできる。メモ内容が不要になった場合は、電子ペーパーホルダ１４に装填することにより、メモ内容を消去することができ、再度、書き込みや着信文書の表示ができる。
【００８６】
次に、本実施の形態２におけるファクシミリ装置の変形例について説明する。尚、実施の形態２と同様のものには同一の符号を付して説明を省略する。
【００８７】
図６（ａ）は本実施の形態２におけるファクシミリ装置の変形例の電子ペーパー取付状態を示す要部断面模式正面図であり、図６（ｂ）は本実施の形態２におけるファクシミリ装置の変形例の電子ペーパー着脱方法を示す要部断面模式図である。
【００８８】
図６の変形例が本実施の形態２のファクシミリ装置と異なるのは、電子ペーパーホルダ１４の底板部４ａの挿入用開口部１４ａ側に開閉部１４ｅが枢軸部１４ｆにより回動自在に枢軸されている点と、開閉部１４ｅの内側に電子ペーパー５の端部５ｃを押圧する軟質のゴムや発泡樹脂等の弾性体からなる保持部１４ｇが配設されている点である。
【００８９】
開閉部１４ｅを矢印ｅ方向に回動し、挿入用開口部１４ａを開いて電子ペーパー５を矢印ｃ方向に挿通する。開閉部１４ｅを矢印ｆ方向に回動することで保持部１４ｇが電子ペーパー５を反らない程度に押圧し、電子ペーパーホルダ電極６ｂと共に電子ペーパー５を保持する。電子ペーパー５を取出す場合は、開閉部１４ｅを矢印ｅ方向に回動し、挿入用開口部１４ａを開くだけで電子ペーパー５を矢印ｄ方向に引き出すことができる。
【００９０】
尚、電子ペーパーホルダ１４に開閉部１４ｅの開閉を検知するマイクロスイッチ等のセンサーを取付けた場合、確実に電子ペーパー５を電子ペーパーホルダ１４に保持した状態で電子ペーパー５へのデータの書き込みや消去を行なうことができ信頼性に優れる。
【００９１】
以上のように本実施の形態２におけるファクシミリ装置は構成されているので、本実施の形態１で得られる作用の他、以下のような作用を有する。
【００９２】
（１）電子ペーパーホルダ１４の上面に覆設されたＸＹ座標を検出する透明なタッチパネル部１５を有することで、タッチパネル部１５上で手書き入力した文字などのデータをＸＹ座標として電子ペーパー５へ伝達して表示させることができると共に、装置本体２内部の記憶部に蓄積することができるので、原稿を直接、手書き入力して送信したり、通話中にメモ代りに使用してその内容を保管したり、印刷したりできる。
【００９３】
（２）電子ペーパーホルダ１４がタブレット部１３として独立していることで、タブレット部１３を移動させて文書の入力や着信表示された文書の確認を行なうことができ作業性に優れる。
【００９４】
（３）電子ペーパーホルダ１４が電子ペーパー５の挿入用開口部１４ａを有することで、電子ペーパー５を案内することができ、容易に電子ペーパーホルダ１４に対して着脱することができる。
【００９５】
（４）タッチパネル部１５上からダミーペン１７等を用いて手書き入力することで、電子ペーパーホルダ１４に装填された電子ペーパー５をメモ代りに使用することができるので、通話中に慌ててメモ用紙や筆記具を探したり、予め準備したりする必要が無く機能性に優れる。
【００９６】
（５）電子ペーパーホルダ１４の両側の側板部１４ｃに電子ペーパー５を案内する案内用溝部１４ｄが形成されているので、容易に電子ペーパー５を摺動させて電子ペーパーホルダ電極６ｂに案内することができ、電子ペーパー電極５ａと電子ペーパーホルダ電極６ｂを導通させることができる。
【００９７】
（６）電子ペーパーホルダ１４の挿入用開口部１４ａに開閉部１４ｅを配設した場合、開閉部１４ｅの内側に電子ペーパー５の端部５ｃを押圧する保持部１４ｇを有することにより、開閉部１４ｅを開閉するだけで電子ペーパーホルダ電極６ｂと保持部１４ｇで電子ペーパー５を保持することができ、電子ペーパー電極５ａと電子ペーパーホルダ電極６ｂとの導通を確実にでき、電子ペーパー５へのデータの書き込みや消去を行なうことができる。
【産業上の利用可能性】
【００９８】
本発明のファクシミリ装置は、着信文書のうち、受取人にとって紙への印字出力が必要なものだけを受取人が選択して、出力用紙に印字出力させる方式であるため、不要な着信文書が印字出力されることがなく、受取人が出力用紙や印字用インクの無駄な消費をさせられることを防止できる効果があり、ファクシミリ装置における紙資源保護、経済性の面での性能向上に大いに役立つ。
【図面の簡単な説明】
【００９９】
【図１】本実施の形態１におけるファクシミリ装置を示す模式斜視図
【図２】（ａ）本実施の形態１におけるファクシミリ装置の電子ペーパー取付状態を示す要部断面模式図、（ｂ）本実施の形態１におけるファクシミリ装置の電子ペーパー着脱方法を示す要部断面模式図
【図３】本実施の形態１におけるファクシミリ装置の変形例を示す模式断面図
【図４】本実施の形態２におけるファクシミリ装置を示す模式斜視図
【図５】（ａ）本実施の形態２におけるファクシミリ装置の電子ペーパー取付状態を示す要部断面模式正面図、（ｂ）本実施の形態２におけるファクシミリ装置の電子ペーパー取付状態を示す要部断面模式側面図
【図６】（ａ）本実施の形態２におけるファクシミリ装置の変形例の電子ペーパー取付状態を示す要部断面模式正面図、（ｂ）本実施の形態２におけるファクシミリ装置の変形例の電子ペーパー着脱方法を示す要部断面模式図
【符号の説明】
【０１００】
１、１１    ファクシミリ装置
２    装置本体
３    出力用紙
４、１４    電子ペーパーホルダ
４ａ    底板部
４ｂ    電子ペーパー支持部
４ｃ    摺動溝
４ｄ    開閉部
４ｅ    係止部
５、５ｂ    電子ペーパー
５ａ    電子ペーパー電極
５ｃ    端部
６ａ、６ｂ    電子ペーパーホルダ電極
７    電子ペーパーセット部
８    電子ペーパー繰り出し機構部
１３    タブレット部
１４ａ    挿入用開口部
１４ｂ、１４ｃ    側板部
１４ｄ    案内用溝部
１４ｅ    開閉部
１４ｆ    枢軸部
１４ｇ    保持部
１５    タッチパネル部
１６    接続ケーブル
１７    ダミーペン
【図１】
2005192071.tif 000003
【図２】
2005192071.tif 000004
【図３】
2005192071.tif 000005
【図４】
2005192071.tif 000006
【図５】
2005192071.tif 000007
【図６】
2005192071.tif 000008